(57)【要約】【課題】拘置所や精神病院の隔離室のトイレ用として、便器のトラップ部の水を人が飲めないような構造にすると共に、毀れ難い構造の水洗式の安全便器を提供する。【解決手段】便器本体３を内側の漏斗状部３ａと外側のカバー部３ｂとからなる二重構造に形成し、水洗用の給水管５を床部４の上面上の前記カバー部３ｂ内に立設すると共に前記カバー部３ｂは紐を通せるような孔の無い構造とし、更に前部床部４の下方で便器１の底部の少なくとも人の手が届かない深さの部分にトラップ６ａを形成した。【選択図】        図１
2004339807.tif 000002
【特許請求の範囲】
【請求項１】
水洗式のトイレの便器において、便器の底部に連る排水管に介在するＵ字型の水溜り部を有するトラップを、前記便器の据付床部の下方に位置したことを特徴とする安全便器。
【請求項２】
前記便器は洋式の便器であり、該便器はトイレの床部の上面に固定した枠体に係合する取付ベース部を有すると共に、該取付ベース部の前記枠体との係合部の側面に、取付ボルトの頭部が没入可能な凹部を有するボルト孔を複数個凹設したことを特徴とする請求項１に記載の安全便器。
【請求項３】
便器本体を、内側の漏斗状部と外側のカバー部とからなる金属製の二重構造に形成し、便器水洗用の給水管をトイレの床部の上面上の前記漏斗部の近傍に立設すると共に該給水管を前記カバー部により囲繞したことを特徴とする請求項１又は請求項２に記載の安全便器。
【請求項４】
便器内の水位が所定水位に達したのを検知する検知手段と、該検知手段に連動して前記給水管を開閉する開閉手段とを設けたことを特徴とする請求項１乃至請求項３の内のいずれか１に記載の安全便器。
【発明の詳細な説明】
【０００１】
【発明の属する技術分野】
本発明は拘置所の隔離室のトイレや精神病院の隔離室のトイレ等に好適な水洗式の便器に関する。
【０００２】
【従来の技術】
従来の隔離室に設置されているトイレには、一般の公衆トイレ等で使用されているものと同様の水洗式便器が用いられている。
【０００３】
これらの水洗式便器は、下水管からの臭気を遮断するために水を溜める構造のトラップを、該便器の浅い底部に有していて、人が手を伸ばせば容易に該トラップ部の水に手を触れることができる。
【０００４】
又、一般の公衆トイレ等で使用されている水洗式便器では、水洗用の給水管が便器の近傍に剥き出しの状態で配管されている。
【０００５】
更に又、これら水洗式便器は、特別な工具がなくても、人手によって分解又は取り毀しを行なうことが可能である。
【０００６】
一方、刑務所や拘置所のトイレで使用するのに適した洋風大便器として、水洗用の給水パイプが剥き出しになっておらず、金属製の毀れ難い構造のものとした例がある（例えば、特許文献１参照。）。
【０００７】
【特許文献１】
特開平９−３１６９８０号公報
【０００８】
【発明が解決しようとする課題】
拘置所の隔離室や精神病院の隔離室に収容されている者の中には、該隔離室内のトイレの便器に溜まっている水を飲む者がいたり、又、これら隔離室に収容されている者の中には、該隔離室内のトイレの給水パイプや便器を毀したり、便器内に異物を詰めたり、又は給水パイプに紐を掛けて自殺を図ったりする者がいるという問題があった。
【０００９】
本発明はこれらの問題点を解消し、便器内のトラップ部の水を人が飲めないような構造にすると共に、毀れ難い構造の便器を提供することを目的とする。
【００１０】
【課題を解決するための手段】
本発明は上記の目的を達成すべく、水洗式のトイレの便器において、便器の底部に連る排水管に介在するＵ字型の水溜り部を有するトラップを、前記便器の据付床部の下方に位置した。
【００１１】
【発明の実施の形態】
本発明の安全便器の一実施の形態を図１乃至図３により説明する。
【００１２】
本実施の形態の便器１は洋式便器で、２はＦＲＰ製の便座、３はステンレス鋼製の便器本体である。
【００１３】
前記便座２の開口部２ａは、図２に示すように、通常の洋風便器の便座の開口部よりも縦長に形成され、前記便器本体３の上部に固定して取付けられている。
【００１４】
前記便器本体３は、内側の漏斗状部３ａと、外側のカバー部３ｂとからなり、共にステンレス鋼板を用いて一体に形成されている。
【００１５】
即ち、前記漏斗状部３ａの上端部を取巻いて水洗用の配水管３ｃが環状に配置されており、更に該配水管３ｃの周りに前記カバー部３ｂの上端部があって、該配水管３ｃを鋏んで配置された前記漏斗状部３ａの上端部と前記カバー部３ｂの上端部とを溶接によりつないで、一体に形成している。
【００１６】
又、便器１の近傍には、トイレの床部４の上面に立設された給水管５が前記配水管３ｃに接続するように配管されており、前記カバー３ｂは、これら給水管５及び配水管３ｃへの接続部を囲繞して、外部から人がこれら給水管５及び配管に直接触れられないように覆っている。
【００１７】
更に又、前記カバー３ｂの下端部にはお盆を伏せた形状のステンレス鋼板製の取付ベース部３ｄが前記カバー部３ｂに溶接して固定されていて、該取付ベース部３ｄをトイレの床面４上に固定した枠体４ａに嵌着して、ボックススパナーによるボルト締めにより該取付ベース部３ｄを床部４の上面に取付けるように形成している。
【００１８】
即ち、図３に示す如く前記取付ベース部３ｄの前記枠体４ａとの嵌着部の側面に、取付ボルト３ｄａの頭部が没入可能な円形の凹部３ｄｂを複数個有しており、該凹部３ｄｂの底部に設けたボルト孔を通して、取付ボルト３ｄａを前記枠体４ａに螺着するようにした。
【００１９】
又、前記漏斗状体３ａは、細くなった下端部を前記床部４の下方に設けた排水管６の上部に挿入して係止している。
【００２０】
該排水管６は、人の手に届かない下方に迄延長させて、その先にＵ字状の水溜り部からなるトラップ６ａを設け、その先を図示していない下水管等に接続している。
【００２１】
尚、前記排水管６の前記臭気トラップ６ａの下流には、掃除口６ｂを有する立上り管部６ｃが設けられている。
【００２２】
又、前記便座２の下面には水検知器７ａが取付けられており、又、前記給水管５には電磁式の開閉弁７ｂが取付けられている。
【００２３】
次に本実施の形態の便器１の使用方法、及びその利点について説明する。
【００２４】
便器１は、特に拘置所の隔離室のトイレや精神病院の隔離室のトイレに設置するのに最適の安全な便器である。
【００２５】
便器１は、一般の洋式便器と同様に、便座２の上に腰掛けて使用する。
【００２６】
該便座２は、上部の開口部２ａの長さを、通常の洋式便器の開口部よりも長めに形成して、長身の男性が便座２に座って放尿した場合にも尿が便器１の外にとび散らないようにすると共に、普通の身長の人が便座２のやや前寄りに座っても便座１内に放尿がなされるようにしている。
【００２７】
又、トラップ６ａの水溜り部が便器１の下方深くにあって、人の手が水に届かないので、隔離室内の収容者がこの溜り水を飲むことができず、安全である。
【００２８】
更に又、便器１内は外側をステンレス鋼製のカバー部３ｂで囲むと共に、便器本体３の取付けボルト３ｄａもボックススパナー無しでは外せなくしてあるので、便器本体３や水洗用の給水管５が隔離室収容者に毀される心配がない。又、異物が詰まって便器本体３内の水位が水検知器７ａのレベルに迄上昇したとき、該水検知器７ａからの信号により開閉弁７ｂが作動して水洗用の給水を停止させるので、便器から水が溢れ出ることはない。更に又、便器本体３には、自殺用の紐が掛けられるような配管や孔を外部に有しないので、安全である。
【００２９】
尚、前記実施の形態では、水検知器７ａを便座２の下面に取付けた例を示したが、該水検知器７ａを前記漏斗状部３ａの上端部の内面に取付けてもよい。このときに該水検知器７ａが上方或いは側方からの水により誤作動しないように該水検知器７ａの上方及び側方に防水カバーを設け、下方のみ開放して上昇する水面の水にのみ作動するようにしておく。
【００３０】
【発明の効果】
このように本発明によれば、隔離室の収容者がトイレの便器のトラップ部の溜り水に手が届かず、収容者が便器を毀すことがないような、安全便器を提供できる効果を有する。
【図面の簡単な説明】
【図１】本発明の一実施の形態の安全便器の側面図である。
【図２】同上安全便器の平面図である。
【図３】安全便器の取付ベース部を床部の上面の枠体に取付固定する個所の拡大断面図である。
【符号の説明】
１      安全便器
２ａ    便座の開口部
３      便器本体
３ａ    漏斗状部
３ｂ    カバー部
３ｄ    取付ベース部
３ｄｂ  ボルト取付用の凹部
４ａ    枠体
６ａ    トラップ
７ａ    水位検知手段（水検知器）
７ｂ    給水管の開閉手段（開閉弁）
【図１】
2004339807.tif 000003
【図２】
2004339807.tif 000004
【図３】
2004339807.tif 000005